(57)【要約】      （修正有）【課題】  遊技盤本体の表裏面に遊技領域を形成し、その奥側に表示パネルを配設し、表示パネルによる表示演出効果、並びに遊技球の移動領域の拡大による遊技本来の趣向性の向上を両立する。【解決手段】  遊技盤を透明の遊技盤本体５２と、この遊技盤本体５２とほぼ同一面積の表示領域を持つ液晶表示パネル５０と、の２部材構造としたため、液晶表示パネル５０での演出の情報量を高めることができる。遊技盤本体の表裏面に表側遊技領域５４と裏側遊技領域５６とを設け、それぞれ独立した異なる遊技仕様で遊技可能であるため、狭いスペースでの遊技領域の拡大を実現することができる。また、パチンコ球が三次元的な動きをするため、視覚的効果を高めることができる。連絡口６２に電動チューリップ７４を設け、双方の行き来の度合いを普通図柄抽選の結果に基づいて変更するようにしたため、表裏の遊技仕様との連携によって、従来にない遊技性をもたらすことができる。【選択図】      図２
2006158618.tif 000002
【特許請求の範囲】
【請求項１】
所定の間隔で互いに対面配置された一対のベース盤を備えた遊技盤ユニットであって、
前記一対のベース盤の内、相対的に奥側に配置されたベース盤が、画像データに基づいて画像を表示する画像表示装置の表示パネルであり、
前記一対のベース盤の内、相対的に手前側に配置されたベース盤が、所定の透明度を持ち、表裏面にそれぞれ異なる形態の遊技領域が形成されて、打ち出された遊技球が当該それぞれの遊技領域に形成された障害物に基づいて、予期せぬ方向に跳ねながら落下して、役物への入賞に応じた賞球を楽しむ遊技盤本体であり、
前記遊技盤本体の表裏面を前記遊技球が行き来する連絡口が設けられていることを特徴とする遊技盤ユニット。
【請求項２】
前記連絡口には、前記遊技球の表裏面の遊技領域への行き来を制限する制限部材が設けられていることを特徴とする請求項１記載の遊技盤ユニット。
【請求項３】
前記請求項１又は請求項２記載の遊技盤ユニットが適用され、前記表裏面のそれぞれの遊技領域には、始動入賞口が設けられ、当該始動入賞口に遊技球が入賞することで抽選が実行され、かつ前記表示パネルにより前記抽選結果が報知され、当該抽選の結果が当たりの場合には、前記表裏面の少なくとも何れか一方に設けられて通常は常時閉止状態である変動入賞装置を開放することで、前記通常の遊技よりも多くの賞球を得ることができる大当たり処理を実行する遊技機。
【請求項４】
前記表裏面の遊技領域の形態の違いが、それぞれに設けられた役物入賞時の賞球数の違いであることを特徴とする請求項３記載の遊技機。
【請求項５】
前記表裏面のそれぞれの遊技領域には、前記抽選の確率が異なる始動入賞口が設けられ、当該抽選の確率の違いが、前記遊技領域の形態の違いであることを特徴とする請求項３又は請求項４記載の遊技機。
【請求項６】
前記表裏面の遊技領域の形態の違いが、前記抽選の結果を報知する表示パネル上での表示形態の違いであることを特徴とする請求項３乃至請求項５の何れか１項記載の遊技機。
【請求項７】
前記表裏の遊技領域の少なくとも一方には、入賞又は通過することで、前記制限部材の制限度合いを決定するための抽選の契機とされる制限度合い設定役物が設けられていることを特徴とする請求項３乃至請求項６の何れか１項記載の遊技機。
【発明の詳細な説明】
【技術分野】
【０００１】
本発明は、所定の間隔で互いに対面配置された一対のベース盤を備えた遊技盤ユニット、並びに当該遊技盤ユニットが適用された遊技機に関するものである。
【背景技術】
【０００２】
従来より、遊技機、特にパチンコ機において、遊技盤上には、始動入賞口（特別図柄始動入賞口）が設けられており、この始動入賞口に入賞したパチンコ球を検出することで特図抽選がなされ、この特図抽選の結果、当たりとなると、遊技盤に設けられた変動入賞装置としての大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
この種のパチンコ機では、特図抽選の結果を遊技者に報知する演出として、パチンコ機の遊技盤の中央に表示部（通常は液晶表示画面）を設置している。この表示部は、複数の列（例えば３列）の図柄変動パターン演出画像が表示されると共に、この図柄変動パターン演出画像と重なるように背景画像が表示される。一般的には、３列の図柄が同じ図柄で揃うことで、当選（当たり）を表現している。
【０００４】
すなわち、前記始動入賞口に入賞し、特図抽選が実行されると、表示部では、図柄変動パターン演出が実行され、当該図柄変動パターン演出後の停止図柄の並び方で当選／落選（当たり／外れ）を報知するようになっている。遊技者は、この図柄変動画面を見ることによって、当たりか外れかに一喜一憂するため、期待感を持たせることができる。
【０００５】
上記構造の遊技盤において、当該表示部に表示する図柄変動パターン演出は、遊技を進行する上での重要度が年々高まり、これに応じて表示部の大きさが拡大していく傾向にある。
【０００６】
このため、本来の遊技の主体とならなければならない、パチンコ球の転動領域が狭まり、パチンコ球の動きを楽しみたいむ遊技者の興味を引くことができない。
【０００７】
これを解消するため、遊技盤面を、前面パネルと裏パネルとで構成し、前面パネルに裏パネルへ案内する導出口を設け、パチンコ球に三次元的な動きをさせることで、遊技者に与える視覚的効果を高めることが提案されている（特許文献１参照）。
【特許文献１】特開２００１−３３４０２７公報
【発明の開示】
【発明が解決しようとする課題】
【０００８】
しかしながら、上記特許文献１等に記載された技術では、単純にパチンコ球が前後（奥行き方向）に行き来するのみであり、手前側と奥側とで遊技性が変化するものではなく、あくまでも、視覚的な効果を高めるに留まる。これでは、遊技者は、経時的にはパチンコ球の動きを把握して、視覚的な効果が薄れていくことになる。
【０００９】
本発明は上記事実を考慮し、遊技盤本体の表裏面にそれぞれ異なる形態の遊技領域を形成し、かつその奥側に表示パネルを配設することで、表示パネルによる表示演出効果、並びに遊技盤本体上の遊技球の移動領域の拡大による遊技本来の趣向性の向上を両立することができる遊技盤ユニット及び遊技機を得ることが目的である。
【課題を解決するための手段】
【００１０】
請求項１に記載の発明は、所定の間隔で互いに対面配置された一対のベース盤を備えた遊技盤ユニットであって、前記一対のベース盤の内、相対的に奥側に配置されたベース盤が、画像データに基づいて画像を表示する画像表示装置の表示パネルであり、前記一対のベース盤の内、相対的に手前側に配置されたベース盤が、所定の透明度を持ち、表裏面にそれぞれ異なる形態の遊技領域が形成されて、打ち出された遊技球が当該それぞれの遊技領域に形成された障害物に基づいて、予期せぬ方向に跳ねながら落下して、役物への入賞に応じた賞球を楽しむ遊技盤本体であり、前記遊技盤本体の表裏面を前記遊技球が行き来する連絡口が設けられていることを特徴としている。
【００１１】
請求項１に記載の発明によれば、表示パネルには遊技に関連する画像表示がなされ、この表示パネルとは別に、透明な遊技盤本体を設け、かつこの遊技盤本体の表裏面にそれぞれ異なる形態の遊技領域を形成することで、遊技領域を狭めることなく、画像表示による演出を効果を維持することができる。さらに、連絡口によって遊技盤本体の表裏面の遊技領域に遊技球を案内することができるため、遊技領域が拡大に増加し、三次元的な視覚効果のみならず、遊技趣向性を高めることができる。
【００１２】
請求項２に記載の発明は、前記請求項１に記載の発明において、前記連絡口には、前記遊技球の表裏面の遊技領域への行き来を制限する制限部材が設けられていることを特徴としている。
【００１３】
請求項２に記載の発明によれば、制限部材によって表裏面の遊技領域への行き来の度合いを変化させることで、遊技のバリエーションを拡げることができる。
【００１４】
請求項３に記載の発明は、前記請求項１又は請求項２記載の遊技盤ユニットが適用され、前記表裏面のそれぞれの遊技領域には、始動入賞口が設けられ、当該始動入賞口に遊技球が入賞することで抽選が実行され、かつ前記表示パネルにより前記抽選結果が報知され、当該抽選の結果が当たりの場合には、前記表裏面の少なくとも何れか一方に設けられて通常は常時閉止状態である変動入賞装置を開放することで、前記通常の遊技よりも多くの賞球を得ることができる大当たり処理を実行することを特徴としている。
【００１５】
請求項３に記載の発明によれば、一対のベース盤構成の遊技盤ユニットを適用し、表裏面のそれぞれの遊技領域には、始動入賞口が設けられ、当該始動入賞口に遊技球が入賞することで抽選が実行され、かつ前記表示パネルにより前記抽選結果が報知され、当該抽選の結果が当たりの場合には、前記表裏面の少なくとも何れか一方に設けられて通常は常時閉止状態である変動入賞装置を開放することで、前記通常の遊技よりも多くの賞球を得ることができる大当たり処理を実行する遊技仕様を持つ遊技機とすることで、限られたスペースで変化に富んだ遊技性を確立することができる。
【００１６】
請求項４に記載の発明は、前記請求項３に記載の発明において、前記表裏面の遊技領域の形態の違いが、それぞれに設けられた役物入賞時の賞球数の違いであることを特徴としている。
【００１７】
請求項４に記載の発明によれば、表裏面の遊技領域の形態の違いを、役物入賞時の賞球数の違いとすることで、遊技者は遊技球が何れの遊技領域に行くかで一喜一憂することができる。
【００１８】
請求項５に記載の発明は、前記請求項３又は請求項４記載の発明において、前記表裏面のそれぞれの遊技領域には、前記抽選の確率が異なる始動入賞口が設けられ、当該抽選の確率の違いが、前記遊技領域の形態の違いであることを特徴としている。
【００１９】
請求項５に記載の発明によれば、表裏面の遊技領域の形態の違いを、抽選の確率が異なる始動入賞口とすることで、抽選確率の高い側への遊技球の移行を期待するという、従来にない趣向性を持たせることができる。
【００２０】
請求項６に記載の発明は、前記請求項３乃至請求項５の何れか１項記載の発明において、前記表裏面の遊技領域の形態の違いが、前記抽選の結果を報知する表示パネル上での表示形態の違いであることを特徴としている。
【００２１】
請求項６に記載の発明によれば、それぞれの遊技領域で始動入賞口に入賞すると、それぞれ抽選が実行され、それぞれその抽選結果を表示パネルに表示することになるが、この表示パネルへの表示形態を表裏面の遊技領域の始動入賞口毎に違いを持たせることで、何れの始動入賞口に入賞したかを確実に認識することができる。
【００２２】
請求項７に記載の発明は、前記請求項３乃至請求項６の何れか１項記載の発明において、前記表裏の遊技領域の少なくとも一方には、入賞又は通過することで、前記制限部材の制限度合いを決定するための抽選の契機とされる制限度合い設定役物が設けられていることを特徴としている。
【００２３】
請求項７に記載の発明によれば、制限部材の制限度合いを制限度合い設定役物への入賞又は通過を契機とした抽選で行うことで、表裏面の遊技領域の移行の困難性を高め、単純な三次元の動きに加え、当該三次元の動きを遊技性に反映させることができる。
【発明の効果】
【００２４】
以上説明した如く本発明では、遊技盤本体の表裏面にそれぞれ異なる形態の遊技領域を形成し、かつその奥側に表示パネルを配設することで、表示パネルによる表示演出効果、並びに遊技盤本体上の遊技球の移動領域の拡大による遊技本来の趣向性の向上を両立することができるという優れた効果を有する。
【発明を実施するための最良の形態】
【００２５】
（全体構成）
図１には、本実施の形態に係るパチンコ機１０が示されている。パチンコ機１０は額縁状の枠体１２に収容されている。パチンコ機１０の前面には、ガラス枠１４が設けられている。
【００２６】
ガラス枠枠１４には、複数の表示灯１６やスピーカ１８が設けられている。また、ガラス枠１４の中央は窓部となっており、この窓部には紙面奥行き方向に所定の間隔で互いに平行とされた一対のガラス２０（二重構造）が装着されている。さらに、ガラス枠１４の図１の右辺部には施錠装置（シリンダ）２２が設けられている。
【００２７】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２８】
この貯球タンクには、パチンコ機１０の上端に設けられた貯留部（図示省略）に貯留されたパチンコ球が払い出されるようになっている。この払い出しには、遊技者にパチンコ球を貸し出すとき（球貸）と、遊技の進行に応じて遊技者に付与するとき（賞球）と、の２種類がある。
【００２９】
一体皿２６は、その一側部（図１の左辺部）が枠体１２に対して開閉可能に取付けられている。一体皿２６の前面には、左側下部に灰皿２８が配置され、右側下部には発射装置１６６（図６参照）から発射する打球の飛距離を調整するための発射ハンドル３０が設けられている。
【００３０】
またガラス枠１４の窓部には、遊技盤載置台に載せて交換可能とされた遊技盤３２が窓部に対応して設置されている。
【００３１】
図２に示される如く、本実施の形態に係る遊技盤３２は、互いに略平行、かつ一定の間隔で配設された液晶表示パネル５０と、遊技盤本体５２とで構成されている。
【００３２】
液晶表示パネル５０は、相対的に遊技盤本体５２の後側（奥側）に配設されている。また、液晶表示パネル５０における、遊技盤本体５２に向けられた面のほぼ全域表示領域とされており、図６に示す図柄・音声制御部１５６によって制御され、画像データに基づいて画像が表示されるようになっている。
【００３３】
遊技盤本体５２は、相対的に液晶表示パネル５０の前側（手前側）に配設されている。遊技盤本体５２は、透明度の高いアクリル樹脂製であり、遊技盤本体５２の前側（遊技者が着座する側）から前記液晶表示パネル５０に表示される画像を見ることができるようになっている。
【００３４】
この遊技盤本体５２は、表裏面のそれぞれに遊技領域が形成されている。以下、遊技者が着座する側の面を表側遊技領域５４といい（図４参照）、前記液晶表示パネル５０に対面している側の面を裏側遊技領域５６という（図５参照）。
【００３５】
（表側遊技領域５４の構成）
図３及び図４に示される如く、表側遊技領域５４は、外バンド３６及び内バンド３８によって囲まれた略円形状とされている。発射装置１６６（図６参照）によって発射されるパチンコ球は、この外バンド３６と内バンド３８との間を通って、表側遊技領域５４の上端部へと打ち出されるようになっている。
【００３６】
この表側遊技領域５４の上部には、天井板５８が設けられている。天井板５８は、上に凸の円弧状とされ、前記打ち出されたパチンコ球のほとんどは、この天井板５８へと落下し、その傾斜によって表側遊技領域５４の左右両端部へと案内されるようになっている。
【００３７】
天井板５８の下部は、前記液晶表示パネル５０に表示される最も重要な表示領域を遊技者に確実に見せるため、釘や役物等の遊技部品が配置されていない表示内容透過スペース６０とされている。なお、この表示内容透過スペース６０は、例えば、７インチ液晶表示装置の画面のほぼ全域が見える程度の広さとされている。
【００３８】
また、天井板５８の左右方向中央には、遊技盤本体５２の表裏を貫通する貫通孔が設けられ、裏側遊技領域５６への連絡口６２としての役目を有している。すなわち、発射され天井板５８へ落下するパチンコ球の一部は、この連絡口６２へ入り、裏側遊技領域５６へと案内される構成である。
【００３９】
表側遊技領域５４における天井板５８の左右端よりも外側下方には、釘６４が取り付けられ、風車６６へと案内する構造となっている。このため、また、前記天井板５８から落下するパチンコ球は、釘６４や風車６６に当接して、予期せぬ方向に跳ね返りながら落下していくようになっている。
【００４０】
また、前記風車６６よりも下側の表側遊技領域５４における左右の釘６４は、互いに徐々に接近する軌跡で配設されており、表側遊技領域５４の下部においては、パチンコ球を比較的高い確率で中央へと案内する構造となっている。
【００４１】
互いに接近した釘６４は、全体として略Ｖ字型とされ、当該Ｖ形状の下端部には、表側特別図柄始動入賞口６８が配設されている。
【００４２】
また、この表側特別図柄始動入賞口６８の下部には、大当たり処理の際に所定ラウンド数の開閉動作がなされる大入賞口（変動入賞装置）４４が配設されている。さらに、表側遊技領域５４の中央最下端部には、アウト口７０が配置されている。
【００４３】
前記表側特別図柄始動入賞口６８にパチンコ球が入賞すると、表側特図抽選が実行され、この表側特図抽選に当選した場合には、前記大入賞口４４が、所定時間の開放を所定回数繰り返し、短時間で多くの入賞が可能な特別遊技状態（大当たり処理）とすることができる。
【００４４】
また、前記左右の風車６６よりも上方の釘６４の近傍には、普通図柄通過装置７２がそれぞれ配設されている。
【００４５】
普通図柄通過装置７２は、普通図柄抽選（普図抽選）のトリガとなっており、通過装置７２をパチンコ球が通過すると普通図柄抽選が実行され、当たりの場合、前記天井板５８の左右方向中央に設けられた電動チューリップ７４が開放するようになっている。
【００４６】
電動チューリップ７４は、前述した表側遊技領域５４と裏側遊技領域５６との連絡口６２に設けられている。
【００４７】
すなわち、電動チューリップ７２が閉止状態の場合と、開放状態の場合とで、裏側遊技領域５６への案内度合いが異なることになる。
【００４８】
（裏側遊技領域５６の構成）
図３及び図５に示される如く、裏側遊技領域５６には、前記表側遊技領域５４の天井板５８に対応して、逆Ｖ字型の主ガイド板７６が取り付けられている。この主ガイド板７６は、遊技盤本体５２と同一材質、すなわち透明アクリル部材であり、全体として透明であるため、遊技者からは、その輪郭が認識できる程度となっている。
【００４９】
前記連絡口６２を通過して裏側に案内されたパチンコ球は、この主ガイド板７６の頂点部に落下し、当該頂点から左右に振り分けられ傾斜に沿って転動するようになっている。
【００５０】
この主ガイド板７６の下部には、全体として略逆Ｖ字型の配列とされる、複数の副ガイド板７８が配設されている。副ガイド板７８は、そのほとんどが、前記主ガイド板７６と相似形状であり、それぞれが頂点を有し、上下関係となる副ガイド板７８間でパチンコ球を受け渡したとき（落下したとき）、頂点から振り分けられて、落下を繰り返すようになっている。
【００５１】
なお、この副ガイド板７８は、前記主ガイド板７６と同様に、透明アクリル部材で形成され、液晶表示パネル５０に表示される画像を遊技者が見るときの妨げには、ほとんどならないようになっている。しかも、前記表側遊技領域５４と同様に、裏側遊技領域５６においても、主ガイド板７６の下方には、表示内容透過スペース８０が設けられている。
【００５２】
裏側表示領域５６の中央下部、副ガイド７８の配列形状である逆Ｖ字型の頂点（下向き）には、裏側特別図柄始動入賞口８２が配設されている。また、この裏側特別図柄始動入賞口５６の下部には、アウト口５４が配置されている。
【００５３】
前記裏側特別図柄始動入賞口８２にパチンコ球が入賞すると、裏側特図抽選が実行され、この裏側特図抽選に当選した場合には、前記表側遊技領域５４に設けられた大入賞口４４が、所定時間の開放を所定回数繰り返し、短時間で多くの入賞が可能な特別遊技状態（大当たり処理）とすることができる。
【００５４】
（制御系の構成）
図６には、パチンコ機１０を制御するための制御系の概略が示されている。制御系は、主制御部１５０を中心として構成されている。主制御部１５０には、遊技に関する基本的なプログラムが記憶されており、この主制御部１５０からの命令信号に基づいて、各部の動作が制御されるようになっている。
【００５５】
この主制御部１５０には、表側特別図柄始動入賞口６８に設けられた表側始動入賞センサ１６８、普通図柄始動入賞口である通過装置７２に設けられた通過センサ１７２並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御部１５０に接続されている。このＶゾーンセンサ１７７は、省略して大入賞口センサ１７３のみにするものでもよい。
【００５６】
また、主制御部１５０には、裏側特別図柄始動入賞口８２に設けられた裏側始動入賞センサ１６９が接続されている。
【００５７】
さらに、主制御部１５０には、連絡口６２に設けられた電動動チューリップ７４を開閉させるための電動チューリップソレノイド１７４、大入賞口４４を開閉させるための大入賞口ソレノイド１７５が接続されている。
【００５８】
また、主制御部１５０からは盤用外部端子１９０を介してホールコンピュータへ遊技の進行状態を示す情報が出力されるようになっている。
【００５９】
なお、上記表側特別図柄始動入賞口６８、裏側特別図柄始動入賞口８２、大入賞口４４に関わる電子部品及びその配線は、図３及び図５に示される如く、裏遊技領域５６側に不透明部材８４を設けることで、遊技者から見えないように遮蔽すればよい。
【００６０】
ここで、パチンコ球が表側特別図柄始動入賞口６８又は裏側特別図柄始動入賞口８２の何れかに入賞すると、これを表側始動入賞センサ１６８又は裏側始動入賞センサ１６９で検出することで表側特図抽選又は裏側特図抽選が実行されるようになっており、当選した場合は、通常遊技状態から特別遊技状態（大当たり処理）へ遊技状態が移行されるようになっている。
【００６１】
一方、この主制御部１５０には、演出制御部１５２と、払出制御部１５４とが接続されている。
【００６２】
演出制御部１５２には、図柄・音声制御部１５６を介してスピーカ１８、液晶表示パネル５０が接続されている。なお、液晶表示パネル５０では、前記表側特図抽選の結果、並びに裏側特図抽選の結果をそれぞれ図柄変動パターン演出で報知すると共に、普通図柄抽選の結果を表示する役目を有している。なお、図柄変動パターン演出の内、重要な画面は、前記表示内容透過スペース６０、８０に対応した領域で表示されるようになっている。言い換えれば、他の領域は、遊技盤本体５２が透明であるため、遊技者が見ることができる程度の透過性を持っているが、釘６４や風車６６、並びに主ガイド７６や副ガイド７８が存在する分、見難いため、背景画像の表示領域とされている。
【００６３】
また、演出制御部１５２は、パチンコ機１０のガラス枠１４に取り付けられた複数の表示灯１６の点灯・消灯を制御する。なお、液晶表示パネル５０における前記表側特図抽選並びに裏側特図抽選の結果を報知するための図柄変動パターン演出と共に、スピーカ１８からは当該図柄変動パターン演出時のＢＧＭが出力されるようになっている。すなわち、遊技者は、視覚及び聴覚を通じて、特図抽選の結果を含む演出を楽しむことができる。
【００６４】
ここで、前記表側特図抽選又は裏側特図抽選の結果が当たりとなり、液晶表示パネル５０における図柄変動パターン演出並びにスピーカ６４からのＢＧＭ出力によって、当該当選を報知し終えると、特別遊技状態である大当たり処理が実行される。
【００６５】
この大当たり処理は、前記大入賞口４４が所定回数（ラウンド）開放するものである。１ラウンドの開放時間は約３０秒とされ、この間に最大１０個のパチンコ球が入賞可能となる。すなわち、時間制限である３０秒、或いは数制限である１０個の何れか一方が先に満足されると、そのラウンドの権利は消滅し、当該大当たり処理中に大入賞口４４内のＶゾーンへの入賞があった場合に、次のラウンドへ移行することが約束される。なお、Ｖゾーンを省略し、単に所定個数のカウントをし、それを基に、次に継続するものでもよい。
【００６６】
このため、特別遊技状態では、通常遊技状態よりも短期間で多くの入賞が期待され、遊技者にとって有利な遊技状態とすることができる。
【００６７】
また、払出制御部１５４には、払出装置１６０、貸出装置１６２、発射制御部１６４が接続されており、発射制御部１６４は、発射装置１６６を制御して、遊技者によるハンドル３０の操作に応じてパチンコ球を打ち出す。
【００６８】
さらに、払出制御部１５４では、枠用外部端子（図示省略）を介して払出情報をホールに設置されたホールコンピュータへ送出するようになっている。
【００６９】
（液晶表示パネル５０による図柄変動パターン演出制御）
本実施の形態では、表側特別図柄始動入賞口６８と裏側特別図柄始動入賞口８２とが設けられており、互いに独立して抽選を実行し、当該抽選結果を報知する構成となっている。このため、図柄変動パターン演出による報知の時期が重複する場合がある。また、同一の液晶表示パネル５０上でそれぞれの抽選結果を図柄変動パターン演出で報知するため、どちらの始動入賞口に入賞したことによる報知であるかがわからなくなる場合がある。
【００７０】
そこで、演出制御部１５２では、主制御部１５０から入力されるコマンドに基づいて、何れか一方の図柄変動パターン演出を実行するか、液晶表示パネル５０の画面を分割して、異なる図柄変動パターン演出を同時に実行するかを決定する。なお、同時演出の場合には、液晶表示パネル５０の前記表示内容透過スペース６０、８０を上下に２分割するようになっている。
【００７１】
また、それぞれの図柄変動パターン演出は、異なる種類の図柄を用いて実行するようになっている。本実施の形態では、表側特別図柄始動入賞口６８に入賞したときの抽選結果は数字図柄を用いて図柄変動パターン演出を実行し、裏特別図柄始動入賞口８２に入賞したときの抽選結果はアルファベット図柄を用いて図柄変動パターン演出を実行するようにしている。
【００７２】
すなわち、図７（Ａ）に示される如く、表側特図抽選の結果は表示内容透過スペース６０、８０のほぼ全域を用いて、数字図柄で図柄変動パターン演出を実行する。また、図７（Ｂ）に示される如く、裏側特図抽選の結果は表示内容透過スペース６０、８０のほぼ全域を用いて、アルファベット図柄で図柄変動パターン演出を実行する。さらに、図７（Ｃ）に示される如く、表側特図抽選の結果と裏側特図抽選の結果を報知する時期が重なった場合には、表示内容透過スペース６０、８０を上下に分割し、上側を表側特図抽選の結果報知領域とし、下側を裏側特図抽選の結果報知領域としている。
【００７３】
（遊技仕様）
本実施の形態では、表側遊技領域５４と裏側遊技領域５６との間で遊技仕様に以下のような差異を設けている。
【００７４】
（１）演出形態
前述の如く表側特図抽選結果の報知は数字図柄、裏側特図抽選結果の報知はアルファベット図柄を適用し、報知時期が重なる場合には表示内容透過スペース６０、８０を上下分割して同時報知
（２）賞球数
表側特別図柄始動入賞口６８に入賞した場合は３個の賞球、裏側特別図柄始動入賞口８２に入賞した場合は７個の賞球
（３）特図抽選確率
表側特図抽選の当選確率は１／３００、裏側特図抽選の当選確率は１／５０
以下に、本実施の形態の作用を説明する。
【００７５】
（表側遊技領域５４での通常遊技の流れ）
遊技者がハンドル３０を把持し、発射のための操作を行なうと、このハンドル操作量（回転量）に応じた強度で、パチンコ球が打ち出される。
【００７６】
パチンコ球が打ち出されると、外バンド３６及び内バンド３８に案内されて表側遊技領域５４の天井板５８へと落下し、釘６４や風車６６等に当接しながら、予測し得ない移動をしながら落下していく。ここで、表側特別図柄始動入賞口６８にパチンコ球が入賞すると、所定の確率下で表側特図抽選が開始される。例えば、乱数カウンタ等から乱数を取得する。なお、大当たり判定は、前記取得した乱数値と予め設定した当たり値との照合をすることで、当たり／外れを判定するものである。
【００７７】
一方、普通図柄始動入賞口としての通過装置７２にパチンコ球が入賞すると、所定の確率下（ここでは、１／１０）で普図抽選が開始される。
【００７８】
普図抽選の結果が当たりの場合は、電動チューリップ７４を所定回数、所定期間開放し、連絡口６２への入賞の確率を高めることができる。なお、表側特図抽選が当たりとなるまでの通常遊技中の電動チューリップ７４の動作は、開閉回数が１回、開放時間が０．５秒程度であり、裏側遊技領域へ案内させる確率は低い。
【００７９】
一方、表側特図抽選が奇数図柄等の特定図柄で当たった後は、裏側特図抽選が所定回数（例えば、１００回）行われるまで、電動チューリップ７４の動作を、開閉回数が２回、開放時間が２秒程度に変更する。
【００８０】
表側特図抽選の結果は、液晶表示パネル５０に表示される図柄変動パターン演出によって報知される。なお、表側特図抽選においては、図柄の種類は数字図柄が用いられ、３列の変動領域のそれぞれで停止した数字図柄が一致すれば当選、異なる数字の場合は落選となる。
【００８１】
この図柄変動パターン演出は、液晶表示パネル５０における表示内容透過スペース６０、８０に対応した領域で実行されるため（図７（Ａ）参照）、遊技者がこの図柄変動パターン演出を見るときの障害物はほとんどない。
【００８２】
前記表側特図抽選の結果が当りの場合は、大当たり処理の実行が開始され、予め設定したラウンド数の特別遊技状態（大当たり処理）が実行される。この大当たり処理中は、大入賞口４４がほとんど開放状態であるため、遊技者によって有利な状態とすることができる。
【００８３】
（裏側遊技領域５６での通常遊技の流れ）
遊技者がハンドル３０を把持し、発射のための操作を行なうと、このハンドル操作量（回転量）に応じた強度で、パチンコ球が打ち出される。
【００８４】
パチンコ球が打ち出されると、外バンド３６及び内バンド３８に案内されて表側遊技領域５４の天井板５８へと落下し、このとき、連絡口６２に入賞すると、裏遊技領域５６へと案内され、主ガイド板７６へ送り出される。
【００８５】
パチンコ球はこの主ガイド板７６のスロープに沿って転動し、複数の副ガイド板７８に案内されて、予測し得ない移動（頂点での振り分け）をしながら落下していく。ここで、裏側特別図柄始動入賞口８２にパチンコ球が入賞すると、所定の確率下で裏側特図抽選が開始される。例えば、乱数カウンタ等から乱数を取得する。なお、大当たり判定は、前記取得した乱数値と予め設定した当たり値との照合をすることで、当たり／外れを判定するものである。
【００８６】
裏側特図抽選の結果は、液晶表示パネル５０に表示される図柄変動パターン演出によって報知される。なお、表側特図抽選においては、図柄の種類はアルファベット図柄が用いられ、３列の変動領域のそれぞれで停止したアルファベット図柄が一致すれば当選、異なる数字の場合は落選となる。
【００８７】
この図柄変動パターン演出は、液晶表示パネル５０における表示内容透過スペース６０、８０に対応した領域で実行されるため（図７（Ｂ）参照）、遊技者がこの図柄変動パターン演出を見るときの障害物はほとんどない。
【００８８】
前記裏側特図抽選の結果が当りの場合は、大当たり処理の実行が開始され、予め設定したラウンド数の特別遊技状態（大当たり処理）が実行される。この大当たり処理中は、大入賞口４４がほとんど開放状態であるため、遊技者によって有利な状態とすることができる。
【００８９】
（抽選結果報知の区別、並びに報知時期の重複）
上記のような表側遊技領域５４での遊技と、裏遊技領域５６での遊技とは、それぞれ独立して制御されるが、表側特図始動入賞口６８に入賞したときの抽選結果の報知と、裏側特図始動入賞口８２に入賞したときの抽選結果の報知とは、同一の液晶表示パネル５２による図柄変動パターン演出の表示によって実行されるため、（Ａ）何れかの遊技領域での抽選結果の報知であるのかが不明である、（Ｂ）報知する時期が重なる場合がある。
【００９０】
（Ａ）の場合は前述の如く、表側特図抽選の結果を報知する図柄は数字、裏側特図抽選の結果を報知する図柄はアルファベットとすることで区別している。これにより、遊技者は、変動している図柄（或いは停止した図柄）の種類によって何れの遊技領域での特図始動入賞口への入賞に基づく抽選であるかを認識することができる。
【００９１】
（Ｂ）の場合は、図７（Ｃ）に示される如く、表示内容透過スペース６０、８０を上下２分割してそれぞれの図柄変動パターン演出を実行することで同時報知が可能である。
【００９２】
以上説明したように本実施の形態では、遊技盤を透明の遊技盤本体５２と、この遊技盤本体５２とほぼ同一面積の表示領域を持つ液晶表示パネル５０と、の２部材構造としたため、液晶表示パネル５０での演出（通常遊技での背景、図柄変動パターン演出、大当たり処理中の演出等）の情報量を高めることができ、また、大迫力の画像を遊技者に提供することができる。
【００９３】
一方、液晶表示パネル５０とは別に遊技盤本体５２を設けたため、従来のように表示部の拡大によるパチンコ球の転動スペースの縮小という問題が解消され、遊技機本来の趣向であるパチンコ球の落下動向を充分に楽しむことができる。
【００９４】
さらに、本実施の形態では、遊技盤本体の表裏面に表側遊技領域５４と裏側遊技領域５６とを設け、それぞれ独立した異なる遊技仕様で遊技可能であるため、狭いスペースでの遊技領域の拡大を実現することができる。また、パチンコ球が三次元的な動きをするため、視覚的効果を高めることができる。
【００９５】
ここで、本実施の形態では、三次元的な視覚的効果のみならず、表側遊技領域５４と裏側遊技領域５６との連絡口６２に電動チューリップ７４を設け、双方の行き来の度合いを普通図柄抽選の結果に基づいて変更するようにしたため、表裏の遊技仕様との連携によって、従来にない遊技性をもたらすことができる。
【００９６】
なお、本実施の形態では、遊技盤本体５２を透明アクリル部材で形成したが、透明度が高い部材であれば、アクリル樹脂に限らず、他の材質であってもよい。
【００９７】
また、遊技盤本体５２を形成する場合、表面と裏面とを互いに平行に形成するのが一般的であるが、パチンコ機としてホールへ設置する場合、パチンコ機１０の上部が下部よりも奥側となるように傾斜して設置する場合がある。これは、パチンコ球が落下時に盤面から離れて、ガラス板２０へ当接しないようにするためである。
【００９８】
従って、通常の傾斜は表側遊技領域５４は問題ないが、裏側遊技領域５６が所謂逆勾配となり、裏遊技領域５６で落下するパチンコ球が液晶表示パネル５０（或いは表示面を保護しているパネル板）に当接する可能性が高まってしまう。
【００９９】
そこで、図８に示される如く、遊技盤本体５２の横断面形状を予め台形としておくことで、上記問題点を解消することができる。なお、より具体的には、表側遊技領域５４は水平面に対して直角の立直面とし、裏側遊技領域５６を若干上向きに傾斜（仰角約２°〜５°程度）させる（図８（Ａ）参照）。これにより、図８（Ｂ）に示される如く、表側遊技領域５４が仰角２°に傾斜されて設置されても、裏側遊技領域５６の仰角は、０°〜３°となり、逆勾配という不具合は発生しない。
【図面の簡単な説明】
【０１００】
【図１】本実施の形態に係るパチンコ機の正面図である。
【図２】本実施の形態に係る遊技盤の側面図である。
【図３】本実施の形態に係る遊技機の正面図（裏面透過）である。
【図４】表側遊技領域の正面図である。
【図５】裏側遊技領域の正面図である。
【図６】本実施の形態に係るパチンコ機における制御系のブロック図である。
【図７】液晶表示パネルへの図柄変動パターン演出形態を示す正面図である。
【図８】変形例に係る遊技盤（遊技盤本体）の側面図であり、（Ａ）は非傾斜状態、（Ｂ）は傾斜状態である。
【符号の説明】
【０１０１】
１０    パチンコ機
３２    遊技盤
５０    液晶表示パネル
５２    遊技盤本体
５４    表側遊技領域
５６    裏側遊技領域
５８    天井板
６０    表示内容透過スペース
６２    連絡口
６４    釘
６６    風車
６８    表側特別図柄始動入賞口
７０    アウト口
７２    普通図柄通過装置
７４    電動チューリップ
７６    主ガイド板
７８    副ガイド板
８０    表示内容透過スペース
１５０    主制御部
１６８    表側始動入賞センサ
１７２    通過センサ
８２    裏側特別図柄始動入賞口
１６９    裏側始動入賞センサ
【図１】
2006158618.tif 000003
【図２】
2006158618.tif 000004
【図３】
2006158618.tif 000005
【図４】
2006158618.tif 000006
【図５】
2006158618.tif 000007
【図６】
2006158618.tif 000008
【図７】
2006158618.tif 000009
【図８】
2006158618.tif 000010